(57)【要約】【課題】従来のコードレス触媒燃焼式毛髪整形器や、電線を装着する形状記憶パーマ用ワインディングロッドを使用せず、十数箇所のワインディング部を一斉に一定時間低温加熱でき美容室で手軽に形状記憶パーマ施術できる、コードレスタイプの触媒燃焼加熱式形状記憶パーマ用ワインディング用ロッドと保温クリップと燃焼ガス充填器具を提供する。【解決手段】燃料タンクと触媒燃焼部を備え、燃焼ガス充填器具等で燃焼ガスを充填し触媒燃焼できる金属製加熱筒を等間隔で均一な穴があいた防錆金属製筒で包み、防熱兼保温効果のあるクリップを被せ、一斉に燃料供給と一定時間低温加熱による毛髪整形を実施できることを特徴とする。【選択図】図１
0003110762.tif 000002
【実用新案登録請求の範囲】
【請求項１】
触媒燃焼加熱部が内蔵された防錆効果のある金属製加熱筒及び、前記金属製加熱筒の外側に等間隔で均一な穴が開いた防錆効果のある金属製筒で包み被せた２重構造の金属製筒からなるワインディングロッドであって、前記金属製加熱筒の一端部に通気口を兼ねた耐熱プラスチック製筒を装着し、前記金属製加熱筒の他端部に触媒燃焼加熱部品及び燃焼ガスを供給する部品が内蔵された耐熱プラスチック製筒を装着し、更にその他端部の外側に燃料ガスを貯蔵する燃料タンクが装着され、前記燃料タンクから供給された燃焼ガスと空気を酸化反応させて前記触媒燃焼加熱部により触媒燃焼することができる事を特徴とするコードレスタイプの触媒燃焼加熱式形状記憶パーマ用ワインディングロッド。
【請求項２】
防錆効果のある前記金属製加熱筒内に、耐熱性のあるセラミック繊維等の非伝導体でコーティングした銅線を通し、前記金属製加熱筒の一端部に装着した前記耐熱プラスチック製筒内の通気口横に着火装置を設けた事を特徴とする請求項１記載のコードレスタイプの触媒燃焼加熱式形状記憶パーマ用ワインディングロッド。
【請求項３】
請求項１又は２に記載のコードレスタイプの触媒燃焼加熱式形状記憶パーマ用ワインディングに被せて使用する防熱兼保温クリップであって、前記防熱兼保温クリップは前記ワインディングロッドの外形に類似し、閉じた状態では円柱状の筒となる左右一対の前記ワインディングロッドの金属製筒面に合致する寸法の内部側半円形被せ片と、前記ワインディングロッドの両端部の耐熱プラスチック製面に合致する寸法の外部側半円形被せ片を有し、前記内部側被せ片と前記外部側半円形被せ片の一側面にはバネを取り付けた軸を介して左右一対に備え付けられた内部側開閉バーと外部側開閉バーによって開閉できる耐熱プラスチック製であり、前記内部側半円形被せ片の内面は防錆効果のある金属でコーティングされた事を特徴とする防熱兼保温クリップ。
【請求項４】
請求項１又は２に記載のコードレスタイプの触媒燃焼加熱式形状記憶パーマ用ワインディングロッドの燃料タンクに燃焼ガスを充填する器具であって、前記ワインディングロッド燃料タンクに燃焼ガスを充填する複数の燃料タンク燃焼ガス充填口及び燃焼ガスボンベから燃焼ガスを取り込む燃焼ガスボンベ燃焼ガス充填口を備え、前記燃料タンク燃焼ガス充填口にはサイズの異なるコードレスタイプの触媒燃焼加熱式形状記憶パーマ用ワインディングロッドをスイッチ操作より一斉に開閉できるストッパー及び、前記燃焼ガスボンベ燃焼ガス充填口には燃焼ガスボンベをスイッチ操作で開閉できるストッパーを備え、下部に燃焼ガスを貯蔵するタンク及び前記燃焼ガスボンベから取り込んだ燃焼ガスを前記貯蔵タンクに送り込むガス菅を備えた事を特徴とする燃焼ガス充填器具。
【考案の詳細な説明】
【技術分野】
【０００１】
この考案は、安価で手軽に形状記憶パーマを施せる道具に関するものである。
【背景技術】
【０００２】
従来、コードレスタイプの触媒燃焼加熱式毛髪整形器が存在するが、形状記憶パーマ用として開発されたものではなく、毛髪一束分のワインディング施術に対して、その一箇所ごとに加熱筒を直接毛髪に高温加熱する事により、一時的整形を施すものである。（例えば、非特許文献１参照。）。
【０００３】
従来、形状記憶パーマ用として開発された道具は、美容室でパーマ施術に使用されるワインディング用ロッドに低温の電熱を与えるものであり、ワインディング用ロッドすべてにコードを取り付けるものである。（例えば、非特許文献２参照。）。
【非特許文献１】「ビダルサスーンヘアスタイルブック」小泉成器株式会社，２００５年，ｐ，１３及び１４
【非特許文献２】「さらに進化した、デジタルフリー」株式会社パイモア，２００５年，デジタルフリーパンフレット両面
【考案の開示】
【考案が解決しようとする課題】
【０００４】
上記文献に示されたコードレスタイプの触媒燃焼加熱式毛髪整形器には次のような欠点があった。
従来のコードレスタイプの触媒燃焼加熱式毛髪整形器を代用して施術を行った場合、加熱筒を直接毛髪に巻いて使用する為、高温施術による一時的加熱に限定された使用方法となり、一定時間加熱が必要な形状記憶パーマの施術に使用すると毛髪を燃やしてしまう。
【０００５】
また、従来のコードレスタイプの触媒燃焼加熱式毛髪整形器によって低温加熱できたとしても、図１３で示すように従来のコードレスタイプの触媒燃焼加熱式毛髪整形器３３による加熱毛髪整形は一度に一箇所しか行う事が出来ず、従来のパーマ施術と同様に形状記憶パーマは毛髪一束分のワインディング施術を数十箇所必要とする為、一箇所ずつ一定時間加熱し続ける作業は、非常に長時間労働になる為に手間がかかりすぎる施術となり、形状記憶パーマの施術としては、かなり非現実的である。
【０００６】
更に、従来の形状を記憶させる為に使用する形状記憶パーマに使用するワインディング用ロッドは電熱式であり、図１４で示すように、従来の形状記憶パーマ用ワインディングロッド３４による加熱毛髪整形ではすべてのロッドにコードを接続する必要があり、施術場所が限定され過ぎて、しかも複雑で手間がかかる。
【０００７】
更に、従来のワインディング用ロッドに蓄熱電池を搭載してコードレスにしても、ロッドの重量が重くなりすぎる為にワインディング施術が困難であり、しかもロッドを巻いたままの状態で、後に塗布する水溶液の酸化剤で感電する恐れがある。
【課題を解決するための手段】
【０００８】
本考案は、上記課題を解決する為になされたものであって、触媒燃焼加熱部が内蔵された防錆効果のある金属製加熱筒及び、金属製加熱筒の外側に等間隔で均一な穴が開いた防錆効果のある金属製筒で包み被せた２重構造の金属製筒が中心に構成され、前記金属製加熱筒の一端部に通気口を兼ねた耐熱プラスチック製筒を装着し、前記金属製加熱筒の他端部に、触媒燃焼加熱部品及び燃料ガスを供給する部品が内蔵された耐熱プラスチック製筒を装着し、更にその外側に燃料ガスを貯蔵する燃料タンクが装着され、前記燃料タンクから供給された燃料ガスと空気を酸化反応させて前記触媒燃焼加熱部により触媒燃焼することができる、コードレスタイプの触媒燃焼加熱式ワインディングロッド（以下、ワインディングロッドと呼称）を提供する事によって、重量が軽く水溶液を塗布しても感電せずに、図１５で示すようにコードレスタイプの触媒燃焼加熱式形状記憶パーマ用ワインディングロッド３５によって、美容室で行われているパーマ施術と同様に容易な形状記憶パーマが施術できる事を目的としている。
【０００９】
形状記憶パーマの場合、一般的に施術時間が２０分程度要する為、触媒燃焼した金属製加熱筒をそのまま使用した場合では高温加熱になる可能性が高く危険であるので、上記考案で金属製加熱筒の外側に間隔を空けて、等間隔で均一な穴があいた金属筒を包み被せているのは、熱が間接的に伝わり低温での設定を行う為である。
【００１０】
尚、防錆効果のある前記金属製加熱筒内に、耐熱性のあるセラミック繊維等の非伝導体でコーティングした銅線を通し、前記金属製加熱筒の一端部に装着した前記耐熱プラスチック製筒内の通気口横に着火装置を設けているのは、従来美容室で使用されるワインディングロッドに近い寸法のコードレスタイプの触媒燃焼加熱式形状記憶パーマ用ワインディングロッドを実現させる為である。
【００１１】
コードレスタイプの触媒燃焼加熱式形状記憶パーマ用ワインディングに被せて使用する防熱兼保温クリップが、前記防熱兼保温クリップは前記ワインディングロッドの外形に類似し、閉じた状態で円柱状の筒となる左右一対の前記ワインディングロッドの金属製筒面に合致する寸法の内部側半円形被せ片と、前記ワインディングロッドの両端部の耐熱プラスチック製面に合致する寸法の外部側半円形被せ片を有し、前記内部側被せ片と前記外部側半円形被せ片の一側面にはバネを取り付けた軸を介して左右一対に備え付けられた内部側開閉バーと外部側開閉バーによって開閉できる耐熱プラスチック製であり、前記内部側半円形被せ片の内面は防錆効果のある金属でコーティングされているのは、加熱された金属製筒からの熱に直接頭皮が触れない様にする事と、前記ワインディングロッドを被う事で髪全体により低温の熱を与えることと、前記防熱兼保温クリップを前記ワインディングロッドに装着したまま内側の半円形被せ片だけを開いて酸化剤の水溶液を塗布できる事を目的としている為である。
【００１２】
コードレスタイプの触媒燃焼加熱式形状記憶パーマ用ワインディングロッドの燃料タンクに燃焼ガスを充填する器具が、前記ワインディングロッド燃料タンクに燃焼ガスを充填する複数の燃料タンク燃焼ガス充填口及び燃焼ガスボンベから燃焼ガスを取り込む燃焼ガスボンベ燃焼ガス充填口を備え、前記燃料タンク燃焼ガス充填口にはサイズの異なるコードレスタイプの触媒燃焼加熱式形状記憶パーマ用ワインディングロッドをスイッチ操作より一斉に開閉できるストッパー及び、前記燃焼ガスボンベ燃焼ガス充填口には燃焼ガスボンベをスイッチ操作で開閉できるストッパーを備え、下部に燃焼ガスを貯蔵するタンク及び前記燃焼ガスボンベから取り込んだ燃焼ガスを前記貯蔵タンクに送り込むガス菅を備えているのは、形状記憶パーマ施術では従来のパーマ施術同様に、ワインディングロッドを十数箇所施術し、一度にそれぞれのコードレスタイプの触媒燃焼加熱式形状記憶パーマ用ワインディングロッドの燃料タンクに燃焼ガスを一斉に注入する事を目的としている為である。
【考案の効果】
【００１３】
触媒燃焼による毛髪加熱整形を間接加熱で行うことで、形状記憶パーマに必要な一定時間低温による加熱整形が可能で、触媒燃焼により燃料タンクを搭載する事でワインディング用ロッドがコードレスになる為、図１４で示された従来の形状記憶パーマ用ワインディングロッド３４で施術する為に複雑な機材を使用する必要がなくコンパクトになるので、美容室で行われる従来からのパーマ施術で施術されるワインディングロッドと同様、あまり施術場所を限定され過ぎずに容易な前記形状記憶パーマ施術が可能になる。
【００１４】
請求項１及び２に記載のワインディングロッドで毛髪加熱整形する時に、請求項３のクリップで包み被せる事により、ワインディングした毛髪の表面にもより効果的に低温加熱が行われ、同時に防熱効果により火傷を防ぐことができ、加熱整形直後のワインディングした毛髪に対してクリップを外さずに内側のクリップだけ開くことにより、ワインディングした毛髪がロッドから外れることなくワインディングされたまま加熱整形された毛髪に水溶液の酸化剤を塗布することができる為、よりワインディングによる形状記憶効果を促進させる事が可能になる。
【００１５】
一般的に形状記憶パーマを施術する場合にはワインディングを２０本程度使用するので、請求項１及び２に記載のワインディングロッドで施術する場合、１名の施術に対して２０本分の燃料タンクに燃焼ガスを充填しなければいけないので、請求項４に記載の充填器具により一斉に燃焼ガスを注入する事で、よりスムーズなワインディング施術が可能になる。
【考案を実施するための最良の形態】
【００１６】
以下、本考案の実施の形態を実施例となる図面に基づき説明する。
図１及び図１４及び図１５で示された従来の形状記憶パーマ用ワインディングロッド３４のように複雑な形態ではなく、コードレスタイプの触媒燃焼加熱式形状記憶パーマ用ワインディングロッド３５を提供する為に燃料タンク６を装備し、燃料タンク６から供給された燃焼ガスを触媒燃焼装置１１に触媒燃焼させることができるワインディングロッドを作成する。
【００１７】
図１及び図２及び図１５で示されたコードレスタイプの触媒燃焼加熱式形状記憶パーマ用ワインディングロッド３５は（以下、ワインディングロッドと呼称）は、美容室で施術される形状記憶パーマで多用される直径１４ｍｍから３３ｍｍ程度で、長さは９０ｍｍ程度を一般サイズとして、流行にあわせて違う長さのものを作成する。
【００１８】
形状記憶パーマ用のワインディングロッドとして、内部防錆金属製加熱筒８の外側に等間隔で均一な穴が開いた防錆金属製筒１を包み被せた２重構造の金属製筒によって、間接的な加熱による毛髪への低温加熱整形を行い、尚且つ美容室でのパーマ施術で使用される最大のワインディング用ロッドのサイズよりも大きくならない様にする為に、図１及び図２で示すように前記内部防錆金属製加熱筒８とその外側に包み被せる等間隔で均一な穴が開いた防錆金属製筒１とのすき間を僅かにする必要があり、直径１４ｍｍ〜１６ｍｍのロッドであれば前記内部防錆金属製加熱筒８の直径は１０ｍｍ程度を目安にし、その場合には等間隔で均一な穴が開いた防錆金属製筒１とのすき間は２ｍｍ〜３ｍｍを目安にする。直径２０ｍｍ〜３３ｍｍのロッドであれば前記内部防錆金属製加熱筒８の直径は１４ｍｍ〜２３ｍｍ程度を目安にし、その場合には等間隔で均一な穴が開いた防錆金属製筒１とのすき間は３ｍｍ〜５ｍｍ程度を目安にする。内部防錆金属製加熱筒８と等間隔で均一な穴が開いた防錆金属製筒１とは内外防錆金属製筒接着部９によって部分的に接合し固定する。
【００１９】
ワインディングロッドとして毛髪に直接加熱を及ぼす図１で示された穴の開いた防錆金属製筒１に出来るだけ均等な熱を伝える為、内部防錆金属製加熱筒８は触媒燃焼に必要な通気口２以外に穴の空いていないものを使用する。但し、直径１４ｍｍ〜１８ｍｍのロッドの場合、２重金属製筒のすき間を２ｍｍ〜３ｍｍにする為に、内部防錆金属製加熱筒の直径が１０ｍｍ〜１２ｍｍ程度になり、上記通気口だけだと燃焼しない可能性があるので内部防錆金属加熱筒８から炎が出ず、酸化剤の水溶液を塗布した場合にも表面張力で前記金属製筒内部に浸りにくい程度に０．３ｍｍ以下の小さな通気口を散りばめる。
【００２０】
図１及び図２で示された触媒燃焼装置１１が内蔵された内部防錆金属製加熱筒８及び、金属製加熱筒の外側に等間隔で均一な穴が開いた防錆金属筒１を包み被せた２重構造の金属製筒は、毛髪加熱整形後にそのまま装着した状態で水溶液を塗布し後に水溶液を水洗いするので、防錆効果のある金属が望ましくアルミ等の金属を使用し、繰り返して何度も使用する為に厚さ０．５ｍｍ以上のものを使用する。
【００２１】
内部防錆金属製加熱筒８の両端部には、それぞれ図１及び図２及び図７で示された耐熱プラスチック製筒５を装着し、金属部を直接触れなくてもワインディングロッドをワインディングされた毛髪から外すことができ、一端部の耐熱プラスチック製筒５は、前記内部防錆金属製加熱筒８に内蔵された触媒燃焼装置１１で触媒燃焼する際に必要な酸素を取り込む為の通気口２を備え、他端部耐熱プラスチック製筒５の外側に燃料タンク６を装着する事で、前記燃料タンク６が直接加熱されない様にする。
【００２２】
防錆金属部一端部の耐熱プラスチック製筒５には、他端部耐熱プラスチック製筒５の格納部をコンパクトにする為に、図１〜図３で示された通気口２と点火スイッチ３と防水蓋７を備え内部防錆金属製加熱筒８内に請求項２に記載された耐熱性のあるセラミック繊維等の非伝導体でコーティングし耐熱保護した銅線１７を通す事で、前記触媒燃焼装置１１で触媒燃焼させる為に必要な前記点火３スイッチを前記耐熱プラスチック製筒５の前記通気口２横に隔離することができる。
【００２３】
また前記触媒燃焼装置１１を水溶液から保護する為に、前記防水蓋７で前記耐熱プラスチック製筒５の前記通気口２に蓋をすることにより、前記内部防錆金属製加熱筒８内に水溶液が入らないようにする。
【００２４】
防錆金属部他端部の耐熱性プラスチック製筒５には、図２〜図７で示された触媒燃焼装置１１と燃焼ガス誘導管１２と、防錆金属製台１４と、耐熱プラスチック製台１５と、燃焼ガス栓スイッチ４と燃焼ガス供給栓１６を内蔵し、内部防錆金属製加熱筒８と前記他端部耐熱プラスチック製筒５との間には、前記内部防錆金属製加熱筒８に内蔵された前記触媒燃焼装置１１で燃焼された熱を防ぐ為に、防熱用防錆金属製蓋１３を取り付け、その側部には前記他端部耐熱プラスチック製筒５内に前記防熱用防錆金属製蓋１３及び前記触媒燃焼装置１１を固定したり、燃料タンク６への伝熱を防ぐ為に、前記防錆金属製台１４を取り付け、更にその側部に前記耐熱プラスチック製台１５を取り付け前記燃料タンク６とも固定する。前記耐熱プラスチック製筒５の側部に装着された前記燃料タンク６から燃焼ガスを取り込む為に、前記燃料タンク６側部に前記燃焼ガス供給栓１６を取り付け、その先端に前記触媒燃焼装置１１に燃焼ガスを誘導する前記燃焼ガス誘導官１２を設置する。前記燃焼ガス供給栓１６と前記燃焼ガス誘導官１２接合部の間に前記燃焼ガス栓スイッチ４を取り付け、燃焼ガスの出し入れを行う。
【００２５】
内部防錆金属製加熱筒８の内部には、図２及び図３及び図５で示すように、触媒燃焼装置１１を取り付ける為、触媒燃焼した炎が前記内部防錆金属製加熱筒８から出ない様に前記内部防錆金属製加熱筒８に防炎網１０を取り付け、また外部から前記内部防錆金属製加熱筒８に入って来たゴミや埃によって燃焼された炎が、前記内部防錆金属加熱筒８から出ない様に、前記内部防錆金属加熱筒８とその一端部の耐熱プラスチック製筒５の間にも前記防炎網１０を取り付ける。
【００２６】
等間隔で均一な穴が開いた防錆金属製筒１に開ける穴のサイズと間隔は、内部防錆金属製加熱筒８と上記金属筒を内外防錆金属製筒接合部９によって接合された２重構造の金属筒のすき間を考慮し、毛髪への加熱温度が６０℃〜１００℃の間で加熱される様に調節する。
【００２７】
図２〜図４及び図６で示すように防熱用防錆金属製蓋１３や、触媒燃焼装置１１と燃焼ガス誘導管１２や、防錆金属製台１４や、燃焼ガス供給栓１６に使用される金属は重量が軽くする為にアルミ等の金属を使用し、防炎網１０には触媒燃焼装置１１による触媒燃焼熱を直接受けるので白金等の金属を使用する。
【００２８】
図１〜図３及び図５〜図７で示された耐熱プラスチック製筒５や、点火スイッチ３や、耐熱プラスチック製台１５や、燃焼ガス栓スイッチ４や、燃料タンク６には、耐熱性の高い変性ＰＰＥ等の耐熱プラスチックを使用する。
【００２９】
図１及び図２及び図５及び図７及び図１０及び図１１で示された燃料タンク６は、約３０分間燃焼できれば良いので１０ｃｃ〜２０ｃｃ程度の小型なタンクにし、燃焼ガス充填口１８を取り付け、燃料タンク６に燃焼ガスを充填する器具の燃料タンク燃焼ガス充填口２５に取り付ける為、燃焼ガス充填時固定用フック２４を取り付ける。
【００３０】
図１及び図８及び図９で示すように請求項３に記載された防熱兼保温クリップは、ワインディングロッドの両端部に装着された耐熱プラスチック製筒５と直接固定する固定用半円形被せ片１９と、ワインディング部分だけを被う保温用半円形被せ片２０に分け、前記ワインディングロッドと前記防熱兼保温クリップを固定する前記固定用半円形被せ片１９を開閉する為の固定用半円形被せ片開閉バー２１と、前記ワインディングロッド金属製筒部だけを被う前記保温用半円形被せ片２０を開閉する為の保温用半円形被せ片開閉バー２２を、バネを取り付けた軸を介して別々に開閉できる様にし、前記固定用半円形被せ片開閉バー２１と前記保温用半円形被せ片開閉バー２２を触らない場合、バネによって前記固定用半円形被せ片１９と前記保温用半円形被せ片２０は円柱状で閉じた状態になる様にする。
【００３１】
加熱整形後の毛髪に酸化剤の水溶液を塗布する際に保温用半円形被せ片２０を開いても、毛髪がワインディングロッドから解けない様にする為、図８及び図９で示すように、固定用半円形被せ片１９の耐熱プラスチック製筒５と設置する両端部同士が、前記保温用半円形被せ片２０を囲う様に先端で繋がっている様にする。
【００３２】
防熱兼保温クリップは、固定用半円形被せ片１９がワインディングロッド両端部の耐熱プラスチック製筒５のうち、一端部の点火スイッチ３と他端部の燃焼ガス栓スイッチ４を除く部分の位置とサイズに合わせ、保温用半円形被せ片２０は穴のあいた防錆金属製筒１のサイズに合わせて、前記穴のあいた防錆金属製筒１を完全に包み隠せる様にする。
【００３３】
固定用半円形被せ片１９全体と保温用半円形被せ片２０の外面には、ワインディングロッドによる火傷を防ぐ為に、耐熱性の高い変性ＰＰＥなどのプラスチックを採用し、図９で示された前記保温用半円形被せ片２０の内面の保温用内側防錆金属部２３にはアルミ等の金属を使用し、熱が髪全体に行き渡る様にする。
【００３４】
形状記憶パーマ施術では、図１及び図２及び図７及び図１０及び図１１及び図１３〜図１５で示すように従来のコードレスタイプの触媒燃焼加熱式毛髪整形器３３にように一箇所ずつ施術することはなく、従来の形状記憶パーマ用ワインディングロッド３４と同様に、コードレスタイプの触媒燃焼加熱式形状記憶パーマ用ワインディングロッド３５を十数箇所施術するので、ワインディングロッドに装着された燃料タンク６に燃焼ガスを一斉に複数充填する為に、燃料タンク燃焼ガス充填口２５を２０箇所程度確保し、燃焼ガスボンベから燃焼ガスを取り込む燃焼ガスボンベ燃焼ガス充填口２７を備える。
【００３５】
各充填口には、図１及び図７及び図１０〜図１２で示すように、サイズの異なるワインディングロッドをワインディングロッドストッパー開閉スイッチ３０を押すことで一斉に固定できる様、燃焼ガス充填口２５の部分に、ワインディングロッドに装着された燃料タンク６に備えた燃焼ガス充填時固定用フック２４と固定できるワインディングロッドストッパー２６を備え、燃焼ガスボンベ燃焼ガス充填口２７の部分にも、燃焼ガスボンベストッパー開閉スイッチ２９を押すことで燃料タンクを固定できる様、燃焼ガスボンベストッパー２８を備える。
【００３６】
図１１で示すように下部に燃焼ガスを貯蔵する燃料ガス貯蔵タンク３１及び、図１２で示すように前記燃焼ガスボンベから取り込んだ燃焼ガスを前記貯蔵タンクに燃焼ガスを送り込む燃焼ガス燃料タンク誘導管３２を備えることで、何度も請求項１及び２に記載のワインディングロッドに燃焼ガスを注入できる様にする。
【産業上の利用可能性】
【００３７】
形状記憶パーマでしか再現できないヘアスタイルがあり、その潜在ニーズが多いにも関らず、現在美容室向け販売されている発熱式ワインディングロッドを備えた形状記憶パーマ用器具は、大規模な機材で高価な為に特定の美容室でしか利用されていないけれども、かつて、高価な器具で施術工程が複雑な為に、一部の美容室でしか施術できなかった縮毛矯正ストレートパーマが、後に施術工程が安易で安価なヘアアイロンの普及に伴い、一般的なストレートパーマメニューとして定着していった様に、本考案によって形状記憶パーマでしか再現できないヘアスタイルが、多くの美容室で一般的にメニューとして取り入れることが可能になる為、新たなパーマ客を増大できる可能性がある。
【図面の簡単な説明】
【００３８】
【図１】本考案の請求項１と２の実施例の斜視図である。
【図２】本考案の請求項２の実施例の斜視透視図である。
【図３】本考案の請求項２の実施例の触媒燃焼装置の斜視図である。
【図４】本考案の請求項１と２の実施例の防熱用金属蓋下部金属台斜視図である。
【図５】本考案の請求項１と２の実施例の金属台下部耐熱プラスチック製台斜視図である。
【図６】本考案の請求項１と２の実施例の燃焼ガス栓スイッチの斜視図である。
【図７】本考案の請求項１と２の実施例の燃料タンクの斜視透視図である。
【図８】本考案の請求項３の実施例のクリップの斜視図である。
【図９】本考案の請求項３の実施例のクリップの見開きの斜視図である。
【図１０】本考案の請求項４の実施例の上部平面図である。
【図１１】本考案の請求項４の実施例の側部平面透視図である。
【図１２】本考案の請求項４の実施例の側部平面透視図である。
【図１３】従来のコードレスタイプの触媒燃焼加熱式毛髪整形器での毛髪整形図
【図１４】従来の形状記憶パーマ用ワインディングロッドでの毛髪整形図
【図１５】本考案の請求項１〜３による毛髪整形図
【符号の説明】
【００３９】
１    等間隔で均一な穴が開いた防錆金属製筒
２    通気口
３    点火スイッチ
４    燃焼ガス栓スイッチ
５    耐熱プラスチック製筒
６    燃料タンク
７    防水蓋
８    内部防錆金属製加熱筒
９    内外防錆金属製筒接着部
１０  防炎網
１１  触媒燃焼装置
１２  燃焼ガス誘導管
１３  防熱用防錆金属製蓋
１４  防錆金属製台
１５  耐熱プラスチック製台
１６  燃焼ガス供給栓
１７  耐熱保護した銅線
１８  燃焼ガス充填口
１９  固定用半円形被せ片
２０  保温用半円形被せ片
２１  固定用半円形被せ片開閉バー
２２  保温用半円形被せ片開閉バー
２３  保温用内側防錆金属部
２４  燃焼ガス充填時固定用フック
２５  燃料タンク燃焼ガス充填口
２６  ワインディングロッドストッパー
２７  燃焼ガスボンベ燃焼ガス充填口
２８  燃焼ガスボンベストッパー
２９  燃焼ガスボンベストッパー開閉スイッチ
３０  ワインディングロッドストッパー開閉スイッチ
３１  燃料ガス貯蔵タンク
３２  燃焼ガス燃料タンク誘導管
３３  従来のコードレスタイプの触媒燃焼加熱式毛髪整形器
３４  従来の形状記憶パーマ用ワインディングロッド
３５  コードレスタイプの触媒燃焼加熱式形状記憶パーマ用ワインディングロッド
【図１】
0003110762.tif 000003
【図２】
0003110762.tif 000004
【図３】
0003110762.tif 000005
【図４】
0003110762.tif 000006
【図５】
0003110762.tif 000007
【図６】
0003110762.tif 000008
【図７】
0003110762.tif 000009
【図８】
0003110762.tif 000010
【図９】
0003110762.tif 000011
【図１０】
0003110762.tif 000012
【図１１】
0003110762.tif 000013
【図１２】
0003110762.tif 000014
【図１３】
0003110762.tif 000015
【図１４】
0003110762.tif 000016
【図１５】
0003110762.tif 000017